(57)【要約】 【課題】ノズルからの液垂れの影響を防止することが可能なポンプ付容器の駆動装置を提供する。【解決手段】ガイド部材１３は、操作部３１ｂが容器３１ａから突出された第１の位置において、ノズル３１ｃの先端部を装置本体１１の内部に位置させ、操作部３１ｂが容器３１ａ内に移動され、液体を吐出する第２の位置において、ノズル３１ｃの先端部を装置本体１１の外部に案内する溝１３ａを有している。センサ４１により使用者が検知された場合、スライダ４４は、駆動部４３により駆動され、操作部３１ｂを前記第１の位置から前記第２の位置へ駆動する。【選択図】図１
2016193136.tif 000002
【特許請求の範囲】
【請求項１】
ノズルを有するポンプの操作部がばねにより容器から突出される方向に付勢されたポンプ付容器の駆動装置であって、
前記ポンプ付容器が装着される装着部を有する本体と、
前記本体に設けられ、前記操作部が容器から突出された第１の位置において、前記ノズルの先端部を前記本体の内部に位置させ、前記操作部が前記容器内に移動され、前記容器内の液体を前記ノズルから吐出する第２の位置において、前記ノズルの先端部を前記本体の外部に案内する溝を有するガイド部材と、
使用者を検知するセンサと、
前記センサにより前記使用者が検知された場合、前記操作部を前記ばねの付勢力に抗して前記第１の位置から前記第２の位置へ駆動する駆動部と
を具備することを特徴とするポンプ付容器の駆動装置。
【請求項２】
前記駆動部により駆動され、前記操作部の移動方向に移動可能で、前記ノズルに係合される第１の係合部と、前記ガイド部材の前記溝に係合される第の２係合部とを有する回動子を具備することを特徴とする請求項１記載のポンプ付容器の駆動装置。
【請求項３】
前記装着部は前記容器を回動可能に載置する回転台を具備することを特徴とする請求項１記載のポンプ付容器の駆動装置。
【発明の詳細な説明】
【技術分野】
【０００１】
本発明の実施形態は、例えば液体が収容されたディスペンサとしてのポンプ付容器のポンプを駆動する装置に関する。
【背景技術】
【０００２】
一般に、洗浄液などの液体が収容された市販のディスペンサは、容器に設けられたポンプを使用者が押下することにより、一定量の液体がノズルから液体のまま、又は液体に気体が混合され、泡状、或いは霧状に変化されて吐出される。
【０００３】
例えば医療施設などにおいて使用されるディスペンサは、衛生上の理由からポンプに触れることなく液体がノズルから吐出される必要がある。このため、センサにより使用者を検出してポンプを駆動する駆動装置が開発されている（例えば特許文献１、特許文献２参照）。
【先行技術文献】
【特許文献】
【０００４】
【特許文献１】特開２００１−１５３０３６号公報
【特許文献２】特開平５−２５３０９０号公報
【発明の概要】
【発明が解決しようとする課題】
【０００５】
上記従来の駆動装置を用いたディスペンサは、ポンプを駆動して容器内の液体をノズルから吐出させた後、ノズルが定常位置に戻った状態において、ノズル内に残った液体がノズルから垂れる所謂液垂れが発生していた。一般に、この種のディスペンサは例えば壁に設置され、液垂れが生じた場合、ディスペンサより下方の液が滴下された床材が変色したり、汚染したりするなどの問題を有している。この液垂れを防止するため、ノズルの径を小さくしたり、ノズルの先端に開閉弁を設けるなどの対策が施されていたが、十分ではなかった。
【０００６】
本実施形態は、ノズルからの液垂れの影響を防止することが可能なポンプ付容器の駆動装置を提供するものである。
【課題を解決するための手段】
【０００７】
実施形態のポンプ付容器の駆動装置は、ノズルを有するポンプの操作部がばねにより容器から突出される方向に付勢されたポンプ付容器の駆動装置であって、前記ポンプ付容器が装着される装着部を有する本体と、前記本体に設けられ、前記操作部が容器から突出された第１の位置において、前記ノズルの先端部を前記本体の内部に位置させ、前記操作部が前記容器内に移動され、前記容器内の液体を前記ノズルから吐出する第２の位置において、前記ノズルの先端部を前記本体の外部に案内する溝を有するガイド部材と、使用者を検知するセンサと、前記センサにより前記使用者が検知された場合、前記操作部を前記ばねの付勢力に抗して前記第１の位置から前記第２の位置へ駆動する駆動部とを具備している。
【図面の簡単な説明】
【０００８】
【図１】第１の実施形態を概略的に示す斜視図。
【図２】図１に示す駆動部の一例を示す斜視図。
【図３】図１に示す駆動部とスライド部材の一例を示す斜視図。
【図４】図４（ａ）（ｂ）は、駆動部とスライド部材の動作を説明するために示す図。
【図５】図１に示すガイド部材の一例を示す斜視図。
【図６】図６（ａ）（ｂ）は、第１の実施形態の動作を説明するために示す斜視図。
【図７】第２の実施形態を概略的に示す斜視図。
【図８】図８（ａ）（ｂ）は、第２の実施形態の動作を説明するために示す斜視図。
【図９】第３の実施形態を概略的に示す斜視図。
【発明を実施するための形態】
【０００９】
以下、実施の形態について、図面を参照して説明する。図面において、同一部分には、同一符号を付している。
【００１０】
（第１の実施形態）
（構成）
図１において、装置本体１１は、装着部１２を有している。この装着部１２に一般的なポンプ付容器としてのディスペンサ３１が装着される。ディスペンサ３１は、例えば洗浄液などの液体が収容された容器３１ａと、図示せぬポンプを構成する操作部３１ｂとにより構成されている。操作部３１ｂは、容器３１ａに出入可能とされており、ポンプ内の図示せぬばねにより容器３１ａから突出する方向に付勢されている。操作部３１ｂは、容器３１ａに対して回動自在に設けられており、操作部３１ｂの一部にはノズル３１ｃが設けられている。操作部３１ｂを押下することにより、容器３１ａ内の液体が一定量、ノズル３１ｃから吐出される。
【００１１】
装着部１２は、ディスペンサ３１の容器３１ａを保持し、装置本体１１から容器３１ａが容易に脱落しない構成とされている。具体的には、装着部１２は、例えば容器３１ａを収容する図示せぬ凹部を有している。凹部の形状は、例えば容器３１aを収容でき、容器３１aを収容した状態において、容器３１aが装置本体１１から容易に外れない形状であればよい。
【００１２】
装置本体１１の例えば上部正面には、使用者の例えば手を検知するセンサ４１が設けられている。このセンサ４１は、例えば赤外線センサにより構成されている。センサ４１の種類及び装着位置は、これに限定されるものではない。
【００１３】
センサ４１は、装置本体１１内に設けられた制御部４２に接続されている。この制御部４２は、駆動部４３に接続されている。駆動部４３は、ディスペンサ３１の操作部３１ｂを押し下げる駆動部材としてのスライダ４４に連結されている。尚、駆動部４３とスライダ４４とを、操作部３１ｂを駆動する駆動部とも言う。
【００１４】
図１に示すように、装置本体１１の内部には、ガイド部材１３が設けられ、ガイド部材の両側にカバー１４ａ、１４ｂが設けられている。カバー１４ａ、１４ｂは、例えば装置本体１１に固定されている。ガイド部材１３は、ディスペンサ３１のノズル３１ｃの回動及び上下動を案内する。ガイド部材１３の例えばカバー１４ａ側の端部は、装置本体１１に対して回動可能に設けられ、ガイド部材１３を回動して開いた状態で、ディスペンサ３１が装置本体１１の装着部１２に対して着脱することが可能とされている。しかし、ディスペンサ３１を装着部１２に対して着脱することが可能であれば、ガイド部材１３は、固定されていてもよい。
【００１５】
図１は、装置本体１１の装着部１２にディスペンサ３１が収容され、ガイド部材１３が閉じられた状態を示している。この状態において、ディスペンサ３１の操作部３１ｂは、容器３１ａから突出した第１の位置にあり、ノズル３１ｃは、装置本体１１の内部に回動され、カバー１４ｂの裏側に位置されている。ガイド部材１３の具体的な構成については後述する。
【００１６】
（駆動部の構成）
図２、図３は、駆動部４３の一例を示している。
【００１７】
図２に示すように、駆動部４３は、例えば装置本体１１の上部に設けられている。駆動部４３は、制御部４２に接続されたモータ４３ａと、モータ４３ａに連結され、モータ４３ａの回転速度を減速させるギアボックス４３ｂと、ギアボックス４３ｂ内の１つのギア４３ｃの一部に設けられた突起としての例えばボス４３ｄを含んでいる。ボス４３ｄは、スライダ４４に連結される。
【００１８】
図３に示すように、スライダ４４は、第１の部分４４aと第２の部分４４ｂを有している。第１の部分４４ａは、ディスペンサ３１の操作部３１ｂ上に当接される。第２の部分４４ｂは、第１の部分４４ａと直交して設けられている。スライダ４４は、第２の部分４４ｂに沿って図示矢印Ａ、Ｂ方向に移動可能に装置本体１１に保持されている。第２の部分４４ｂは、駆動部４３のボス４３ｄが係合される溝４４ｃを有している。溝４４ｃは、その長手方向がスライダ４４の移動方向と直交する方向に配置されている。このため、ボス４３ｄがギア４３ｃの回転に従って溝４４ｃ内を移動することにより、スライダ４４は、図示矢印Ａ、Ｂ方向に駆動される。
【００１９】
駆動部４３は、センサ４１により使用者の手が検出されると、制御部４２により、一定時間Ｔだけ駆動される。具体的には、モータ４３ａは、制御部４２により、ギア４３ｃが１回転する時間Ｔだけ駆動される。スライダ４４は、ギア４３ｃが１回転することにより、図示矢印Ａ、Ｂ方向に１往復される。
【００２０】
具体的には、図４（ａ）に示すように、センサ４１により使用者の手が検出されていない停止状態において、ギア４３ｃは、ボス４３ｄがギア４３ｃの回転方向の最上部に位置した状態で停止されている。この状態において、ボス４３ｄは、スライダ４４の溝４４ｃの長手方向中央部に位置しており、スライダ４４も最上部に位置されている。このとき、ディスペンサ３１の操作部３１ｂは、ポンプに内蔵されたばねの付勢力により、押し上げられ、容器３１ａから突出された第１の位置に位置されている。操作部３１ｂが第１の位置に位置されているとき、スライダ４４の第１の部分４４ａ操作部３１ｂの上部に当接されている。
【００２１】
この状態において、センサ４１により使用者の手が検出されると、制御部４２によりモータ４３ａが駆動され、図４（ａ）に示すように、ギア４３ｃが例えば図示矢印Ｃ方向に駆動される。これに伴い、ボス４３ｄが溝４４ｃ内を移動し、スライダ４４が図示矢印Ａ方向に下降される。スライダ４４の移動に伴い、ディスペンサ３１の操作部３１ｂが押し下げられる。
【００２２】
図４（ｂ）に示すように、ギア４３ｃが１／２回転され、ボス４３ｄが最下部に位置されると、スライダ４４も最下部に移動される。これに伴い、スライダ４４に押されたディスペンサ３１の操作部３１ｂがノズル３１ｃから液体を吐出する第２の位置に移動される。
【００２３】
この後、ギア４３ｃがさらに図示矢印Ｃ方向に回転されると、スライダ４４は、図示矢印Ｂ方向に上昇される。ギア４３ｃが図４（ｂ）に示す最下部から１／２回転され、図４（ａ）に示す位置に移動されると、モータ４３ａが停止される。
【００２４】
スライダ４４が、図示矢印Ｂ方向に上昇されるとき、ディスペンサ３１の操作部３１ｂは、図示せぬばねの付勢力により、上昇される。
【００２５】
（ガイド部材の構成）
前述したように、装置本体１１には、ディスペンサ３１のノズル３１ｃを回動させるガイド部材１３が設けられている。このガイド部材１３は、操作部３１ｂが容器３１ａから突出された第１の位置において、ノズル３１ｃの先端部を装置本体１１の内部に位置させ、操作部３１ｂが容器３１a内に移動され、ノズル３１ｃから液体を吐出する第２の位置において、ノズル３１ｃを装置本体１１の外部に位置させる。
【００２６】
図５、図６（ａ）（ｂ）は、ガイド部材１３の一例を示すものである。図５に示すように、ガイド部材１３は、例えば第１の部分１３−１、第２の部分１３−２と、第１の部分１３−１と第２の部分１３−２の間に設けられた円弧状の第３の部分１３−３を有している。第１の部分１３−１は、前述したように、装置本体１１に対して、例えば図示せぬヒンジにより回動自在に保持され、第２の部分１３−２は、図示せぬロック装置により、装置本体１１に固定可能とされている。第３の部分１３−３は、第２の部分１３−２が装置本体１１に固定された状態において、ディスペンサ３１の操作部３１ｂを収容可能とされている。
【００２７】
ガイド部材１３の第３の部分１３−３には、ノズル３１ｃが挿入され、ノズル３１ｃを案内する溝１３ａが設けられている。溝１３ａは、操作部３１ｂが容器３１ａから突出された第１の位置と、操作部３１ｂが容器内に移動され、ノズル３１ｃから液体を吐出する第２の位置との間で、ノズル３１ｃを回動可能、且つ上下動可能に案内する。
【００２８】
具体的には、図５に示すように、溝１３ａは、第１の端部１３ａ−１と、第２の端部１３ａ−２と、第１の端部１３ａ−１と第２の端部１３ａ−２の間の傾斜部１３ａ−３を有している。第１の端部１３ａ−１と、第２の端部１３ａ−２は、ノズル３１ｃの回動方向に沿って例えば約９０度離れており、第２の端部１３ａ−２は、第１の端部１３ａ−１より低い位置に配置されている。
【００２９】
第１の端部１３ａ−１は、操作部３１ｂが第１の位置にあるとき、ノズル３１ｃを装置本体１１の内部に収容する位置に配置されている。すなわち、第１の端部１３ａ−１は、図１に示すように、カバー１４ｂの裏側に位置している。カバー１４ｂは、溝１３ａに連通した溝１４ｂ−１を有しており、ノズル３１ｃは、この溝１４ｂ−１を通って移動可能とされている。尚、第１の端部１３ａ−１は、ノズル３１ｃを着脱するための切り欠き部を有している。
【００３０】
第２の端部１３ａ−２は、図６（ｂ）に示すように、操作部３１ｂが第２の位置に位置するとき、ノズル３１ｃが装置本体１１の正面に位置し、液体を吐出する位置に配置される。第２の端部１３ａ−２は、垂直方向の溝として形成されている。
【００３１】
図１、図５に示すように、装置本体１１の内部で、溝１３ａの第１の端部１３ａ−１近傍には、ノズル３１ｃから漏れた液体を収容する収容部としての受け皿５１が設けられている。この受け皿５１は、例えばカバー１４ｂの裏側に設けられている。具体的には、受け皿５１は、操作部３１ｂが第１の位置に位置され、装置本体１１の内部に収容されたノズル３１ｃの下方に配置されている。
【００３２】
（動作）
上記構成において、図５、図６（ａ）（ｂ）を参照して動作について説明する。
【００３３】
図５に示すように、センサ４１により使用者の手が検出されていない定常状態において、操作部３１ｂは、図示せぬばねの付勢力により押し上げられ、第１の位置に移動される。このとき、操作部３１ｂのノズル３１ｃは、ガイド部材１３の溝１３ａに沿って回動され、第１の端部１３ａ−１に移動されている。このため、ノズル３１ｃの先端部は、装置本体１１内部で、受け皿５１の上方に位置される。したがって、ノズル３１ｃから垂れた液体は、受け皿５１に収容される。
【００３４】
この状態において、センサ４１により、使用者の手が検出された場合、制御部４２により駆動部４３が駆動され、スライダ４４により操作部３１ｂが押し下げられる。これに伴い、ノズル３１ｃは、溝１３ａの傾斜部１３ａ−３に沿って、図示矢印Ｄ方向に回動しながら下降される。
【００３５】
図６（ａ）に示すように、ノズル３１ｃが溝１３ａの第２の端部１３ａ−２に移動され、装置本体１１の正面に位置された後、さらに、スライダ４４が押下されると、操作部３１ｂも押下され、図６（ｂ）に示すように、ノズル３１ｃは、第２の端部１３ａ−２に沿って、垂直に押し下げられる。このため、ノズル３１ｃから一定量の液体が吐出される。
【００３６】
この状態において、スライダ４４が上昇されると、操作部３１ｂは、ポンプに内蔵されたばねの付勢力により押し上げられ、図６（ａ）に示す第２の端部１３ａ−２の上部に戻る。この後、さらに、スライダ４４が上昇されると、これに伴い、ノズル１３ｃは、第２の端部１３ａ−２から傾斜部１３ａ−３に沿って、第１の端部１３ａ−１へ回動され、図５に示すように、装置本体１１の内部に収容される。この状態おいて、ノズル３１ｃの先端部は、受け皿５１の上方に位置され、ノズル１３ｃから液垂れが生じた場合、垂れた液は、受け皿５１に収容される。受け皿５１内の液体は、受け皿５１内において蒸発される。このため、装置本体１１の外部に液が垂れることを防止できる。
【００３７】
（第１の実施形態の効果）
上記第１の実施形態によれば、市販のディスペンサ３１の操作部３１ｂをガイド部材１３、駆動部４３、スライド部材４４により押下、及び回動可能とし、センサ４１により使用者の手が検知されていない定常状態において、ノズル１３ｃを装置本体１１の内部に収容させている。このため、装置本体１１の外部に液が垂れることを防止できる。
【００３８】
また、センサ４１により使用者の手が検知された場合、駆動部４３、及びスライダ４４により操作部３１ｂが押下され、ノズル３１ｃは、ガイド部材１３の溝１３ａに従って回動されて装置本体１１の正面に移動されて押下される。このため、自動的に一定量の液体を吐出させることが可能である。
【００３９】
（第２の実施形態）
上記第１の実施形態は、スライダ４４により直接操作部３１ｂを駆動した。この場合、ノズル３１ｃがガイド部材１３の溝１３ａに沿って回動しながら押下される。このため、ノズル３１ｃが回動される途中で、ノズル３１ｃから液体が吐出される可能性がある。
【００４０】
第２の実施形態は、ノズル３１ｃの回動途中でノズル３１ｃから液体が吐出されることを防止するものである。
【００４１】
図７は、第２の実施形態の要部を示すものであり、第１の実施形態と同一部分には、同一符号を付している。
【００４２】
（構成）
図７において、ディスペンサ３１の操作部３１ｂは、容器３１ａから突出した第１の位置にある。この状態において、ガイド部材１３は、操作部３１ｂより上方に配置されており、ノズル３１ｃは、ガイド部材１３の下方に位置している。
【００４３】
スライダ４４には、回動子としてのローテータ６１が取着されている。ローテータ６１は、操作部３１ｂの回動方向（図示矢印Ｄ、Ｅ方向）に回動可能とされ、スライダ４４と共に操作部３１ｂの移動方向に移動される。ローテータ６１は、一対の第１の係合部６１ａと、第２の係合部６１ｂを有している。一対の第１の係合部６１ａは、ノズル３１ｃの幅より若干広い間隔で配置され、第２の係合部６１ｂは、例えば一対の第１の係合部６１ａの間に配置されている。一対の第１の係合部６１ａは、例えばガイド部材１３の溝１３ａの第１の端部１３ａ−１の高さと第２の端部１３ａ−２の高さの差に相当する長さを有している。尚、第２の係合部６１ｂは、一対の第１の係合部６１ａの間に限定されるものではなく、ガイド部材１３の溝１３ａの位置に応じて変形可能である。
【００４４】
図７に示すように、ローテータ６１は、一対の第１の係合部６１ａに間にノズル３１ｃが挿入されるように装着される。この状態において、ローテータ６１は、操作部３１ｂの移動方向に沿って、操作部３１ｂと独立に移動可能であるとともに、操作部３１ｂに当接した状態において、操作部３１ｂを押圧することが可能である。さらに、ローテータ６１は、第２の係合部６１ｂがガイド部材１３の溝１３ａに従って回動可能とされ、ローテータ６１の回動に伴いノズル３１ｃが回動される。尚、第２の実施形態において、ガイド部材１３の第２の端部１３ａ−２には、切り欠き部が設けられ、ローテータ６１により、操作部３１ｂを第２の位置に押圧可能とされている。
【００４５】
（動作）
上記構成において、図７、図８（ａ）（ｂ）を参照して動作について説明する。
【００４６】
センサ４１により使用者の手が検出されていない定常状態において、操作部３１ｂは、図示せぬばねの付勢力により押し上げられ、第１の位置に移動される。このとき、図７に示すように、スライダ４４最上部に位置されている。このため、スライダ４４に設けられたローテータ６１は、第２の係合部６１ｂがガイド部材１３の溝１３ａの第１の端部１３ａ−１に位置される。これに伴い、ノズル３１ｃの先端部は、装置本体１１内部で、受け皿５１の上方に位置される。
【００４７】
この状態において、センサ４１により、使用者の手が検出された場合、制御部４２により駆動部４３が駆動され、スライダ４４によりローテータ６１が押し下げられる。ローテータ６１は、第２の係合部６１ｂが溝１３ａに沿って移動することにより、降下しながら回動され、これに伴い、ノズル３１ｃも回動する。しかし、ローテータ６１は操作部３１ｂから離れているため、操作部３１ｂは、押下されない。
【００４８】
さらに、スライダ４４によりローテータ６１が押し下げられ、図８（ａ）に示すように、第２の係合部６１ｂが溝１３ａの第２の端部１３ａ−２に到達すると、ノズル３１ｃは、装置本体１１の正面に位置される。
【００４９】
この状態よりさらにスライダ４４によりローテータ６１が押し下げられると、図８（ｂ）に示すように、ローテータ６１が操作部３１ｂに当接され、第２の係合部６１ｂが第２の端部１３ａ−２に沿って、垂直に押し下げられる。これと共に、操作部３１ｂが押し下げられるため、ノズル３１ｃから液体が吐出される。
【００５０】
この後、スライダ４４及びローテータ６１が上昇され、図８（ａ）に示す溝１３ａの第２の端部１３ａ−２の上部に移動すると、これとともに、操作部３１ｂは、ポンプに内蔵されたばねの付勢力により押し上げられる。
【００５１】
この後、スライダ４４及びローテータ６１がさらに上昇されると、ローテータ６１の第２の係合部６１ｂが溝１３ａの第２の端部１３ａ−２から傾斜部１３ａ−３に沿って、第１の端部１３ａ−１へ回動される。これに伴い、ノズル３１ｃは、図７に示すように、装置本体１１の内部に収容される。
【００５２】
この状態おいて、ノズル１３ｃから液垂れが生じた場合、垂れた液は、受け皿５１に収容され、受け皿５１内において蒸発される。このため、装置本体１１の外部に液が垂れることを防止できる。
【００５３】
（第２の実施形態の効果）
上記第２の実施形態によれば、スライダ４４に、スライダ４４とともに移動され、且つガイド部材１３の溝１３ａに沿って回動可能なローテータ６１を設け、このローテータ６１により、ノズル３１ｃを回動させている。このローテータ６１は、ノズル３１ｃが装置本体１１の正面に位置するまで、操作部３１ｂを押し下げないため、ノズル３１ｃの回動途中において、液体が吐出することを防止できる。したがって、無用な液体の吐出による装置本体１１周囲の汚染を防止できる。
【００５４】
（第３の実施形態）
上記第１、第２の実施形態は、操作部３１ｂが容器３１ａに対して回動可能に設けられているディスペンサ３１を使用した場合について説明した。しかし、市販されているディスペンサには、容器に対して操作部が回動できない構造のディスペンサがある。第３の実施形態は、容器に対して操作部が回動できないディスペンサを使用することが可能なディスペンサの駆動装置を提供する。
【００５５】
（構成）
図９は、第３の実施形態の要部のみを示すものであり、第３の実施形態を第１の実施形態に適用した場合を示している。装置本体１１の底部で、装着部１２に対応する位置には、回転台７１が図示矢印Ｄ、Ｅ方向に回転自在に設けられている。装着部１２に装着されたディスペンサ８１は、この回転台７１上に載置される。ディスペンサ８１の操作部８１ｂは、容器８１ａに対して出入自在に設けられ、容器８１ａに対して回動できない構造とされている。
【００５６】
（動作）
上記構成において、駆動部４３が駆動され、スライダ４４が押下されると、ディスペンサ８１の操作部８１ｂに設けられたノズル８１ｃがガイド部材１３の第１の端部１３ａ−１から傾斜部１３ａ−３に沿って、回動しながら降下され、これに伴い容器８１ａが回転台７１と共に回動される。このため、第１の実施形態と同様の動作により、操作部８１ｂ、ノズル８１ｃを駆動することができる。
【００５７】
上記説明は、第３の実施形態を第１の実施形態に適用した場合について説明したが、第３の実施形態を第２の実施形態に適用することも可能である。
【００５８】
（第３の実施形態の効果）
第３の実施形態によれば、装置本体１１の底部にディスペンサ８１が載置される回転台７１を設け、ディスペンサ８１が装置本体１１に対して回動可能に保持されている。このため、操作部８１ｂが容器８１ａに対して回転できないタイプのディスペンサであっても、定常時は、ノズル８１ｃを装置本体１１の内部に移動させ、駆動時に、ノズル８１ｃを装置本体１１の正面に移動させて液体を吐出させることができる。
【００５９】
したがって、第３の実施形態によっても、第１、第２の実施形態と同様の効果を得ることができる。
【００６０】
尚、上記第３の実施形態は、装置本体１１に操作部３１ｂが容器３１ａに対して回動不能なディスペンサ８１を装着する場合について説明したが、操作部３１ｂが容器３１ａに対して回動可能なディスペンサ３１を装着しても使用することが可能である。
【００６１】
さらに、第１の実施形態は、操作部３１ｂが容器３１ａに対して回動可能なディスペンサ３１を装置本体１１にする場合について説明したが、容器が装置本体１１の装着部１２に対して、回動可能で、装着部１２から外れない構成であれば、操作部３１ｂが容器３１ａに対して回動不能なディスペンサ８１を使用することも可能である。
【００６２】
また、ガイド部材１３は、溝１３ａを有する構成としたが、これに限定されるものではなく、ノズル３１ｃ、又は第２の係合部６１ｂを装置本体１１の内部と正面との間で案内可能であれば、ノズル３１ｃ、又は第２の係合部６１ｂが挿入可能な間隔を空けて斜めに配置されたレール状の構造であってもよい。
【００６３】
また、装置本体１１内に収容されたノズルの近傍に受け皿５１を設けているが、装置本体１１内に収容されたノズルから垂れた液体が装置本体１１内から漏れない構造であれば、受け皿５１は、省略可能である。
【００６４】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１１…装置本体、１２…装着部、１３…ガイド部材、１３ａ…溝、１３ａ−１…第１の端部、１３ａ−２…第２の端部、１３ａ−３…傾斜部、３１、８１…ディスペンサ、３１ａ、８１ａ…容器、３１ｂ、８１ｂ…操作部、３１ｃ、８１ｃ…ノズル、４１…センサ、４３…駆動部、４４…スライダ、５１…受け皿、６１…ローテータ（回動子）、６１ａ…第１の係合部、６１ｂ…第２の係合部、７１…回転台。
【図１】
2016193136.tif 000003
【図２】
2016193136.tif 000004
【図３】
2016193136.tif 000005
【図４】
2016193136.tif 000006
【図５】
2016193136.tif 000007
【図６】
2016193136.tif 000008
【図７】
2016193136.tif 000009
【図８】
2016193136.tif 000010
【図９】
2016193136.tif 000011